(57)【要約】【課題】ユーザにとって最適な広告をユーザに提供することが可能な端末装置を提供する。【解決手段】端末装置（100）は、情報を取得する情報取得手段（11）と、情報を表示する表示手段（30）と、情報の属性に対するユーザの興味を表す興味度を属性ごとに記憶する興味度情報記憶手段（21）と、情報に対するユーザの操作内容に応じて、情報の属性に対応する興味度を更新する更新手段（13）と、広告を含むコンテンツ情報を表示手段（30）に表示する場合は、広告の属性に対応する興味度の高い広告の優先度を高くして広告の表示位置を変更して表示する表示制御手段（15）と、を有して構成する。【選択図】図１
2015022561.tif 000002
【特許請求の範囲】
【請求項１】
情報を取得する情報取得手段と、
前記情報の属性に対するユーザの興味を表す興味度を前記属性ごとに記憶する興味度情報記憶手段と、
前記情報を表示する表示手段と、
前記情報に対する前記ユーザの操作内容に応じて、前記情報の属性に対応する前記興味度を更新する更新手段と、
広告を含むコンテンツ情報を前記表示手段に表示する場合は、前記広告の属性に対応する前記興味度の高い広告の優先度を高くして前記広告の表示位置を変更して表示する表示制御手段と、
を有することを特徴とする端末装置。
【請求項２】
前記コンテンツ情報に含まれる前記広告は、一画面の表示位置に表示される広告と、前記一画面の表示位置に表示されない次候補の広告と、を有し、
前記表示制御手段は、
前記興味度の高い広告を前記一画面の表示位置に優先的に配置するように、前記広告の表示位置を変更する、ことを特徴とする請求項１記載の端末装置。
【請求項３】
前記広告の属性に対応する前記興味度に基づいて、前記興味度に応じた前記広告の価値を算出する広告価値算出手段を有し、
前記表示制御手段は、
前記価値の高い広告を表示順位の高い表示位置に優先的に配置するように前記広告の表示位置を変更する、ことを特徴とする請求項１または請求項２記載の端末装置。
【請求項４】
端末装置と、サーバと、を有して構成する広告配信システムであって、
前記サーバは、
広告を含むコンテンツ情報を配信する情報配信手段を有し、
前記端末装置は、
情報を取得する情報取得手段と、
前記情報の属性に対するユーザの興味を表す興味度を前記属性ごとに記憶する興味度情報記憶手段と、
前記情報を表示する表示手段と、
前記情報に対する前記ユーザの操作内容に応じて、前記情報の属性に対応する前記興味度を更新する更新手段と、
広告を含むコンテンツ情報を前記表示手段に表示する場合は、前記広告の属性に対応する前記興味度の高い広告の優先度を高くして前記広告の表示位置を変更して表示する表示制御手段と、
を有することを特徴とする広告配信システム。
【請求項５】
前記情報配信手段は、
一画面の表示位置に表示される広告と、前記一画面の表示位置に表示されない次候補の広告と、を含むコンテンツ情報を配信し、
前記表示制御手段は、
前記興味度の高い広告を前記一画面の表示位置に優先的に配置するように、前記広告の表示位置を変更する、ことを特徴とする請求項４記載の広告配信システム。
【請求項６】
情報を取得する情報取得処理と、
前記情報に対するユーザの操作内容に応じて、前記情報の属性に対する前記ユーザの興味を表す興味度を前記属性ごとに記憶する興味度情報記憶手段に記憶された前記情報の属性に対応する前記興味度を更新する更新処理と、
広告を含むコンテンツ情報を表示手段に表示する場合に、前記広告の属性に対応する前記興味度の高い広告の優先度を高くして前記広告の表示位置を変更して表示する表示制御処理と、をコンピュータに実行させることを特徴とするプログラム。
【発明の詳細な説明】
【技術分野】
【０００１】
本開示は、ユーザが使用するＰＣ（Personal Computer）等の端末装置に関する。
【背景技術】
【０００２】
近年、インターネットの急速な発展に伴い、インターネットを介した広告配信が盛んに行われている。広告配信としては、ウェブページの所定の位置に、企業や商品等を示すアイコンを表示し、かかるアイコンがクリックされた場合に広告主のウェブページへ遷移するものがある。この種の広告配信は、バナー広告や広告リンクと呼ばれている。本明細書では、これらを総称として広告と定義する。
【０００３】
広告主にとっては、ウェブページに掲載した広告がより多くクリックされることが重要である。それと同様に、ウェブサービス提供者（ウェブページ製作者）にとっても、ウェブページに掲載した広告がより多くクリックされることが重要である。これは、広告がクリックされた回数に応じて、広告主から得られる対価が変動したり、広告が多くクリックされるウェブページを提供するほど、他の広告主から広告掲載の依頼を受けたりするからである。
【０００４】
また、広告ごとに、クリックされる目標の回数（「目標クリック数」と定義する）が定められていることが多いため、ウェブサービス提供者にとっては、極力多くの広告について、クリック数が目標クリック数に達するようにすることも重要である。
【０００５】
そこで、近年、広告をユーザに効果的に認知させるように工夫する技術が提案されている。例えば、特許文献１（特開2010-73172号公報）には、所望のクリック数を向上させる技術について開示されている。
【０００６】
特許文献１では、広告を含むコンテンツを閲覧するユーザごとに、そのコンテンツに広告が表示される位置である表示位置に対応付けて、その表示位置に配置された広告がクリックされた回数であるクリック数を集計する。そして、その集計したクリック数を、ユーザと表示位置とに対応付けてユーザクリック特性記憶部に記憶させる。そして、ユーザからコンテンツの閲覧要求を受け付けた場合に、ユーザクリック特性記憶部に記憶されているクリック数に基づいて、広告の表示位置をユーザごとに調整したコンテンツをユーザに出力している。
【先行技術文献】
【特許文献】
【０００７】
【特許文献１】特開２０１０−７３１７２号公報
【発明の概要】
【発明が解決しようとする課題】
【０００８】
従来は、広告をユーザに提供する広告提供者側で、所定の位置に所定の広告が配置されたコンテンツ情報を作成し、そのコンテンツ情報をユーザ側に一方的に配信していた。このため、ユーザ側では、ユーザに興味のない広告であってもその広告が所定の位置に表示されてしまうため、その所定の位置に配置された広告に対するユーザのクリック操作の確率が低くなってしまっていた。
【０００９】
そもそも広告は、個々の広告ごとに興味を持つユーザ層やユーザ数が異なる。ウェブサービス提供者にとっては、ユーザに多くの広告に反応してもらい、所望の広告が目標クリック数に達するようにしたい。このため、例えば、Cookieなどからウェブサイトの閲覧履歴を広告提供者が取得し、その取得した閲覧履歴に応じて最適な広告を複数選択する。Cookieには、ウェブサイトに訪れた日時、ウェブサイトへのアクセス回数などを記録しておくことができる。このため、広告提供者は、Cookieなどからウェブサイトの閲覧履歴を取得し、その取得した閲覧履歴に応じて最適な広告を複数選択することができる。そして、その選択した複数の広告を優先度の高い順に所定の位置に配置したコンテンツ情報を作成し、ユーザに提供している。また、特許文献１のように、広告提供者側でクリック数の達成率が低い所望の広告を、配信先のユーザにクリックされやすい表示位置に優先して配置したコンテンツ情報を作成し、ユーザに提供している。
【００１０】
しかし、ウェブサイトの閲覧履歴に応じて最適な広告を複数選択したとしても、ユーザが、その選択した広告に興味がなければ、その選択した広告がユーザにクリックされる確率は低くなってしまうことになる。また、特許文献１のように、クリック数の達成率が低い所望の広告を、配信先のユーザにクリックされやすい表示位置に優先して配置しても、配信先のユーザがそのクリック数の達成率の低い所望の広告に興味がなければ、その所望の広告がユーザにクリックされる確率は低くなってしまうことになる。即ち、上述した従来の手法や、特許文献１の方法は、広告提供者側で広告を選択しており、ユーザ視点にたった広告の表示方法ではないため、配信先のユーザにとって効果的な広告の表示方法に至っていないことになる。
【００１１】
なお、広告提供者側で個々のユーザに最適な広告を選択するためには、個々のユーザの嗜好を把握するためのユーザ情報をユーザ側から取得して使用するのが効果的である。しかし、ユーザ情報をユーザ側から取得するのは、プライバシ保護の観点から好ましくない。このため、広告提供者が、ユーザ側からユーザ情報を取得し、その取得したユーザ情報を基に、個々のユーザに応じた最適な広告を広告提供者側で選択する方法は現実的な方法ではない。
【００１２】
本開示の目的は、ユーザにとって最適な広告をユーザに提供することが可能な端末装置を提供することにある。
【課題を解決するための手段】
【００１３】
本開示の一態様にかかる端末装置は、
情報を取得する情報取得手段と、
前記情報を表示する表示手段と、
前記情報の属性に対するユーザの興味を表す興味度を前記属性ごとに記憶する興味度情報記憶手段と、
前記情報に対する前記ユーザの操作内容に応じて、前記情報の属性に対応する前記興味度を更新する更新手段と、
広告を含むコンテンツ情報を前記表示手段に表示する場合は、前記広告の属性に対応する前記興味度の高い広告の優先度を高くして前記広告の表示位置を変更して表示する表示制御手段と、
を有することを特徴とする。
【発明の効果】
【００１４】
本開示の一態様によれば、ユーザにとって最適な広告をユーザに提供することができる。
【図面の簡単な説明】
【００１５】
【図１】本実施形態の広告配信システムのシステム構成例を示す図である。
【図２】興味度情報記憶部21の構成例を示す図である。
【図３】広告の表示変更例を示す第１の図である。
【図４】広告の表示変更例を示す第２の図である。
【図５】本実施形態の端末装置100の処理動作例を示す図である。
【発明を実施するための形態】
【００１６】
（本開示の一態様にかかる広告配信システムの実施形態の概要）
まず、図１を参照しながら、本開示の一態様にかかる広告配信システムの実施形態の概要について説明する。図１は、本開示の一態様にかかる広告配信システムの一構成例を示す図である。
【００１７】
本開示の一態様にかかる広告配信システムは、端末装置100と、サーバ200と、を有して構成する。
【００１８】
サーバ200は、情報配信手段を有して構成する。情報配信手段は、広告を含むコンテンツ情報を配信する。
【００１９】
端末装置100は、情報取得手段、興味度情報記憶手段、表示手段、更新手段、表示制御手段を有して構成する。
【００２０】
情報取得手段は、各種情報を取得する。情報取得手段は、情報取得部11が機能する。
【００２１】
興味度情報記憶手段は、情報の属性に対するユーザの興味を表す興味度を属性ごとに記憶する。興味度情報記憶手段は、興味度情報記憶部21が機能する。
【００２２】
表示手段は、各種情報を表示する。表示手段は、表示入力部30が機能する。
【００２３】
更新手段は、情報に対するユーザの操作内容に応じて、情報の属性に対応する興味度を更新する。更新手段は、興味解析部13が機能する。
【００２４】
表示制御手段は、広告を含むコンテンツ情報を表示手段に表示する場合は、広告の属性に対応する興味度の高い広告の優先度を高くして広告の表示位置を変更して表示する。表示制御手段は、表示制御部15が機能する。
【００２５】
本開示の一態様にかかる広告配信システムは、ユーザが使用する端末装置100側において、広告を含むコンテンツ情報を表示手段に表示する場合は、広告の属性に対応する興味度の高い広告の優先度を高くして広告の表示位置を変更して表示する。これにより、ユーザにとって最適な広告をユーザに提供することができる。以下、添付図面を参照しながら、本開示の一態様にかかる広告配信システムの実施形態について詳細に説明する。
【００２６】
＜広告配信システムのシステム構成例＞
まず、図１を参照しながら、本実施形態の広告配信システムのシステム構成例について説明する。図１は、本実施形態の広告配信システムのシステム構成例を示す図である。
【００２７】
本実施形態の広告配信システムは、端末装置100とサーバ200とがネットワークNWを介して接続して構成している。端末装置100、サーバ200は、ネットワークNWを介して互いに通信可能になっている。ネットワークNWは、端末装置100とサーバ200との間で各種情報通信が可能であれば、有線、無線を問わず、あらゆる通信形態が適用可能である。
【００２８】
本実施形態の端末装置100は、サーバ200から各種情報を取得する。サーバ200は、端末装置100に配信する情報に広告を埋め込んで端末装置100に配信している。このため、端末装置100は、広告を含む情報を取得することになる。図１に示す広告配信システムでは、１つのサーバ200を示しているが、サーバ200は、１つに限定せず、複数のサーバ200を有して構成する。
【００２９】
＜端末装置100の構成例＞
次に、図１を参照しながら、本実施形態の端末装置100の構成例について説明する。
【００３０】
本実施形態の端末装置100は、制御部10、記憶部20、表示入力部30を有して構成する。
【００３１】
制御部10は、端末装置100を統括して制御する。制御部10は、情報取得部11、カテゴリ判別部12、興味解析部13、広告価値算出部14、表示制御部15を有して構成する。
【００３２】
情報取得部11は、ネットワークを介して各種のサーバ200に接続し、各種のサーバ200から各種情報を取得する。サーバ200から取得する情報は特に限定せず、任意の情報を取得することが可能である。例えば、Webページ、TV番組などのコンテンツ情報、webちらしなどの広告を取得する。また、広告が含まれるコンテンツ情報を取得する。
【００３３】
カテゴリ判別部12は、情報取得部11が取得した各種情報が、予め定められたカテゴリの何れに分類されるかを判別する。カテゴリ判別部12で判別するカテゴリは、記憶部20に予め設定する。そして、情報取得部11が取得した各種情報が、記憶部20に予め設定されたカテゴリの何れに分類されるかを判別する。
【００３４】
カテゴリは、情報取得部11が取得した情報の内容に応じてその情報を分類する属性であり、例えば、サッカー、野球、音楽、エンターテインメントなどがあげられる。なお、情報取得部11が取得した情報は、１つのカテゴリに分類されず、複数のカテゴリに跨ることもある。例えば、情報がサッカーのニュースに関する内容である場合は、サッカー、ニュースの２つのカテゴリに跨ることになる。また、広告が含まれるコンテンツ情報の場合は、広告に対応するカテゴリと、コンテンツ情報に対応するカテゴリと、の２つのカテゴリに跨る場合がある。また、コンテンツ情報に含まれる広告は、複数の場合もあり、この場合は、広告が複数のカテゴリに分類されることになる。
【００３５】
カテゴリ判別部12で行うカテゴリの判別方法は、特に限定せず、情報取得部11が取得した情報がどのカテゴリに分類されるかを判別することが可能であれば、各種の判別方法を用いることが可能である。
【００３６】
例えば、情報取得部11が取得した情報に含まれるテキストデータに所定のキーワードが含まれるか否かでその情報のカテゴリを判別することも可能である。また、各種情報を提供する情報提供者側のサーバ200で情報に付与されたカテゴリを基に、その情報のカテゴリを判別することも可能である。
【００３７】
興味解析部13は、情報取得部11が取得した情報へのユーザの操作内容に応じて、端末装置100のユーザの興味情報を解析する。興味解析部13による興味情報の解析では、情報の再生および記録に関連する操作として予め定められた操作が行われた場合に、その操作内容に応じて予め定められたポイントを、操作対象とされた情報に付与する。
【００３８】
例えば、webブラウザ等による情報の再生操作が行われた場合、再生対象の情報に１ポイント付与する。また、記憶部20への保存操作が行われた場合、保存対象とされた情報に３ポイント付与する。また、再生された情報に対して「いいね」ボタンなどにより投稿が行われた場合、その情報に５ポイント付与する。また、情報に対して削除の操作が行われた場合、削除対象とされた情報に−１５ポイント付与する。
【００３９】
また、再生対象の情報がwebサイトである場合、そのwebサイトを表示し続けている時間を滞在時間として所定のポイントを付与するようにしてもよい。このようにポイントを付与することにより、操作内容に応じて情報ごとの重み付けを行う。
【００４０】
興味解析部13は、ポイントが付与された情報が含まれるカテゴリ単位ごとにポイントを合算した累積ポイントを算出する。興味解析部13は、カテゴリ単位ごとの累積ポイントを比較することにより、各カテゴリ単位について、ユーザにとって興味の大きいカテゴリの順序を定める。興味解析部13が算出した累積ポイントは、ユーザの興味を表す興味度となる。興味解析部13が算出した累積ポイント（興味度）は、興味度情報記憶部21に記憶する。興味度情報記憶部21は、図２に示すように、ユーザの興味度である累積ポイントを記憶する。図２は、興味度情報記憶部21の構成例を示す。累積ポイントは、カテゴリごとに区分して記憶する。カテゴリは、情報を分類する属性である。この興味度情報記憶部21の累積ポイントによりユーザがどのカテゴリ（属性）に興味があるかを把握することができる。
【００４１】
なお、初回の電源投入時には、情報に対するユーザ操作に応じたポイントの加算が行われておらず、従って累積ポイントも存在しない。このため、初回の電源投入時は、デフォルトとして予め定められたポイントがカテゴリごとに区分して興味度情報記憶部21に記憶されている。そして、情報に対するユーザ操作が行われる度に、興味解析部13が興味度情報記憶部21の各カテゴリの累積ポイントを更新する。これにより、個々のユーザに応じた累積ポイントに更新されていくことになる。
【００４２】
カテゴリごとの累積ポイントは、例えば、表示入力部30に表示された情報の視聴時間に応じて変更することも可能である。この場合、表示入力部30に表示された情報の視聴時間が長い場合は、その情報のカテゴリの累積ポイントを多くする。表示入力部30は、各種情報を入力したり表示したりする。また、表示入力部30に表示された情報を記憶部20に保存した場合に、その情報のカテゴリの累積ポイントを多くすることも可能である。なお、ユーザが情報を記憶部20に保存した後、その情報を表示入力部30に再度表示させる行為は、情報を単位に記憶部20に保存しただけでその後一度も表示しないような場合と比較して、その情報のカテゴリに非常に興味があることが推定される。このため、情報を記憶部20に保存した後、その情報を表示入力部30に再度表示させる行為については、その情報のカテゴリの累積ポイントを更に多くするようにすることが好ましい。また、表示入力部30に表示された情報に対して「いいね」、「コメント」、「ツィート」などの発信操作により、良い評価をおこなった情報のカテゴリの累積ポイントを多くすることも可能である。また、情報に対するユーザの操作に応じて累積ポイントを多くするだけでなく、情報に対するユーザの操作に応じて累積ポイントを少なくすることも可能である。例えば、表示入力部30に表示された情報を全く視聴しなかったり、情報を記憶部20に保存しなかった場合に、その情報のカテゴリの累積ポイントを少なくすることも可能である。また、情報をゴミ箱に捨てたり、記憶部20に保存した情報を保存対象の情報から取り消した場合に、その情報のカテゴリの累積ポイントを少なくすることも可能である。また、表示入力部30に表示された情報に対して悪い評価をおこなった情報のカテゴリの累積ポイントを少なくすることも可能である。また、ユーザ操作の設定等により累積ポイントを変更することも可能である。
【００４３】
広告価値算出部14は、情報取得部11が広告を含むコンテンツ情報を取得した場合に、その広告の価値を算出する。広告の価値は、興味度情報記憶部21にカテゴリごとに区分して記憶した累積ポイントを基に算出する。例えば、広告のカテゴリに対応する累積ポイントが高い場合は、その広告の価値を高く算出する。また、広告のカテゴリに対応する累積ポイントが低い場合は、その広告の価値を低く算出する。これにより、興味度情報記憶部21にカテゴリごとに区分して記憶した累積ポイントを基に、広告の価値を算出することができる。
【００４４】
表示制御部15は、広告価値算出部14が算出した広告の価値を基に、コンテンツ情報に含まれる広告の表示位置を変更して表示入力部30に表示する。
【００４５】
例えば、図３（ａ）に示す、一画面の表示位置に表示される広告Ａ、広告Ｂ、広告Ｃを含むコンテンツ情報300を情報取得部11が取得したとする。また、広告Ａ、広告Ｂ、広告Ｃを選別したメタ情報がコンテンツ情報300に付与されているとする。メタ情報には、広告Ａ、広告Ｂ、広告Ｃの順番で広告を選別した表示順の情報が含まれている。この場合、広告価値算出部14は、コンテンツ情報300に含まれる広告Ａ、広告Ｂ、広告Ｃの価値を、興味度情報記憶部21にカテゴリごとに区分して記憶した累積ポイントを基に算出する。例えば、広告ＡのカテゴリがカテゴリＡであり、広告ＢのカテゴリがカテゴリＢであり、広告ＣのカテゴリがカテゴリＣであるとする。また、興味度情報記憶部21にカテゴリごとに区分して記憶されている累積ポイントが、累積ポイントの多い順に、カテゴリＢ、カテゴリＡ、カテゴリＤ、カテゴリＣであるとする。この場合、広告価値算出部14が算出した広告Ａ、広告Ｂ、広告Ｃの価値は、価値の高い順に、カテゴリＢの広告Ｂ、カテゴリＡの広告Ａ、カテゴリＣの広告Ｃとなる。なお、広告Ａ、広告Ｂ、広告Ｃのカテゴリは、メタ情報に含まれている情報を基に判別してもよく、また、広告Ａ、広告Ｂ、広告Ｃを端末装置100側で解析して判別してもよく、任意の方法で判別することができる。表示制御部15は、広告価値算出部14が算出した広告Ａ、広告Ｂ、広告Ｃの価値を基に、図３（ａ）に示す、コンテンツ情報300に含まれる広告Ａ、広告Ｂ、広告Ｃの表示位置を変更すると、図３（ｂ）に示すコンテンツ情報301になる。広告価値算出部14が算出した広告の価値は、広告Ｂ、広告Ａ、広告Ｃの順番になるため、図３（ｂ）に示すコンテンツ情報301は、広告Ｂ、広告Ａ、広告Ｃの表示順となるように広告を入れ替え、価値の高い広告を一画面の中で表示順位の高い表示位置に優先的に配置するように広告の表示位置を変更する。図３（ａ）に示すコンテンツ情報300において、一画面の中で１番目に表示順位の高い表示位置は、広告Ａの表示位置となる。２番目は、広告Ｂの表示位置となる。３番目は、広告Ｃの表示位置となる。図３（ｂ）に示すコンテンツ情報300においては、１番目に表示順位の高い表示位置に広告Ｂが配置され、２番目の表示位置に広告Ａが配置され、３番目の表示位置に広告Ｃが配置されている。これにより、端末装置100のユーザの興味度の高いカテゴリＢの広告Ｂを優先的にユーザにクリックさせやすくすることができる。
【００４６】
なお、図３では、一画面の表示位置に表示される広告Ａ、広告Ｂ、広告Ｃを含むコンテンツ情報300を情報取得部11が取得した場合に、そのコンテンツ情報300に含まれる広告Ａ、広告Ｂ、広告Ｃの表示位置を興味度情報記憶部21にカテゴリごとに区分して記憶した累積ポイントを基に変更している。しかし、図４に示すように、一画面の表示位置に表示される広告Ａ、広告Ｂ、広告Ｃと、一画面の表示位置に表示されない次候補の広告Ｄと、を含むコンテンツ情報400を情報取得部11が取得した場合も、図３と同様に、そのコンテンツ情報400に含まれる広告Ａ、広告Ｂ、広告Ｃ、広告Ｄの表示位置を興味度情報記憶部21にカテゴリごとに区分して記憶した累積ポイントを基に変更することになる。図４（ａ）に示すコンテンツ情報400は、広告Ａ、広告Ｂ、広告Ｃ、広告Ｄを選別したメタ情報がコンテンツ情報400に付与されている。メタ情報には、広告Ａ、広告Ｂ、広告Ｃ、広告Ｄの順番で広告を選別した表示順の情報が含まれている。この場合、広告価値算出部14は、コンテンツ情報400に含まれる広告Ａ、広告Ｂ、広告Ｃ、広告Ｄの価値を、興味度情報記憶部21にカテゴリごとに区分して記憶した累積ポイントを基に算出する。例えば、広告ＡのカテゴリがカテゴリＡであり、広告ＢのカテゴリがカテゴリＢであり、広告ＣのカテゴリがカテゴリＣであり、広告ＤのカテゴリがカテゴリＤであるとする。また、興味度情報記憶部21にカテゴリごとに区分して記憶されている累積ポイントが、累積ポイントの多い順に、カテゴリＢ、カテゴリＡ、カテゴリＤ、カテゴリＣであるとする。この場合、広告価値算出部14が算出した広告Ａ、広告Ｂ、広告Ｃ、広告Ｄの価値は、価値の高い順に、カテゴリＢの広告Ｂ、カテゴリＡの広告Ａ、カテゴリＤの広告Ｄ、カテゴリＣの広告Ｃとなる。表示制御部15は、広告価値算出部14が算出した広告Ａ、広告Ｂ、広告Ｃ、広告Ｄの価値を基に、図４（ａ）に示す、コンテンツ情報400に含まれる広告Ａ、広告Ｂ、広告Ｃ、広告Ｄの表示位置を変更すると、図４（ｂ）に示すコンテンツ情報401になる。広告価値算出部14が算出した広告の価値は、広告Ｂ、広告Ａ、広告Ｄ、広告Ｃの順番になるため、図４（ｂ）に示すコンテンツ情報401は、広告Ｂ、広告Ａ、広告Ｄの表示順となるように広告を入れ替え、価値の高い広告を一画面の中で表示順位の高い表示位置に優先的に配置するように広告の表示位置を変更する。図４（ａ）に示すコンテンツ情報400において、一画面の中で１番目に表示順位の高い表示位置は、広告Ａの表示位置となる。２番目は、広告Ｂの表示位置となる。３番目は、広告Ｃの表示位置となる。図４（ｂ）に示すコンテンツ情報400においては、１番目に表示順位の高い表示位置に広告Ｂが配置され、２番目の表示位置に広告Ａが配置され、３番目の表示位置に広告Ｄが配置されている。これにより、端末装置100のユーザの興味度の高いカテゴリＢの広告Ｂを優先的にユーザにクリックさせやすくすることができる。また、端末装置100のユーザの興味度の高い次候補の広告Ｄを一画面に表示し、ユーザにとって最適な広告Ｂ、広告Ａ、広告Ｄで構成されたコンテンツ情報をユーザに提供することができる。
【００４７】
＜端末装置100の処理動作例＞
次に、図５を参照しながら、本実施形態の端末装置100の処理動作例について説明する。図５は、本実施形態の端末装置100の処理動作例を示す図であり、広告を含むコンテンツ情報を情報取得部11が取得した場合の処理動作例を示す。
【００４８】
本実施形態の端末装置100は、図２に示すように、ユーザの興味度である累積ポイントがカテゴリごとに区分して興味度情報記憶部21に記憶されている。本実施形態の端末装置100は、表示入力部30に表示された情報に対する操作内容に基づいて、その情報のカテゴリに対応する累積ポイントを更新することになる。これにより、個々のユーザに応じた累積ポイントに更新されていくことになる。
【００４９】
広告を含むコンテンツ情報を情報取得部11が取得した場合は（ステップS1/Yes）、広告価値算出部14は、興味度情報記憶部21にカテゴリごとに区分して記憶した累積ポイントを基に、コンテンツ情報に含まれる広告の価値を算出する（ステップS2）。これにより、広告のカテゴリに対応する累積ポイントに応じた広告の価値が算出されることになる。
【００５０】
表示制御部15は、広告価値算出部14が算出した広告の価値を基に、情報取得部11が取得したコンテンツ情報に含まれる広告の表示位置を変更して表示入力部30に表示する（ステップS3）。
【００５１】
例えば、情報取得部11が取得したコンテンツ情報が、図３（ａ）に示すコンテンツ情報300の場合は、コンテンツ情報300に含まれる広告の価値が、価値の高い順に、広告Ｂ、広告Ａ、広告Ｃとなる。このため、表示制御部15は、コンテンツ情報300に含まれる広告が、広告Ｂ、広告Ａ、広告Ｃの表示順となるように広告を入れ替え、図３（ｂ）に示すコンテンツ情報301を表示入力部30に表示する。これにより、端末装置100のユーザの興味度の高いカテゴリＢの広告Ｂを優先的にユーザにクリックさせやすくすることができる。また、情報取得部11が取得したコンテンツ情報が、図４（ａ）に示すコンテンツ情報400の場合は、コンテンツ情報400に含まれる広告の価値が、価値の高い順に、広告Ｂ、広告Ａ、広告Ｄ、広告Ｃとなる。このため、表示制御部15は、コンテンツ情報400に含まれる広告が、広告Ｂ、広告Ａ、広告Ｄ、広告Ｃの表示順となるように広告を入れ替え、図４（ｂ）に示すコンテンツ情報401を表示入力部30に表示する。これにより、端末装置100のユーザの興味度の高いカテゴリＢの広告Ｂを優先的にユーザにクリックさせやすくすることができる。また、端末装置100のユーザの興味度の高い次候補の広告Ｄを一画面に表示し、ユーザにとって最適な広告Ｂ、広告Ａ、広告Ｄで構成されたコンテンツ情報をユーザに提供することができる。
【００５２】
＜本実施形態の広告配信システムの作用・効果＞
このように、本実施形態の広告配信システムは、ユーザが使用する端末装置100側において、ユーザの興味度である累積ポイントをカテゴリ（属性）ごとに区分して興味度情報記憶部21に記憶する。そして、端末装置100側において表示された情報に対するユーザの操作内容に基づいて、その情報のカテゴリに対応する累積ポイントを更新する。これにより、個々のユーザに応じた累積ポイントに更新されていくことになる。そして、端末装置100側において、広告を含むコンテンツ情報を表示入力部30に表示する場合は、広告のカテゴリに対応する興味度の高い広告の優先度を高くして広告の表示位置を変更して表示する。これにより、ユーザにとって最適な広告をユーザに提供することができる。
【００５３】
広告は表示位置によりその広告に対するユーザのクリック操作の確率が変わる。このため、本実施形態の端末装置100は、興味度情報記憶部21にカテゴリに区分して記憶したユーザの興味度を表す累積ポイントを基に、広告の表示位置を変更している。これにより、ユーザの興味度の高いカテゴリの広告を優先的にユーザにクリックさせやすくすることができる。また、個々のユーザが広告に対してクリックし易くなるため、広告を提供する広告提供者側にとっても有効となる。
【００５４】
また、端末装置100側で蓄積したユーザの興味度を表す累積ポイントを基に、広告の表示位置を変更しているため、広告提供者側にユーザの個人情報を与えることなく、ユーザにとって最適な広告をユーザに提供することができる。
【００５５】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００５６】
例えば、上記実施形態の広告配信システムを構成する各装置における制御動作は、ハードウェア、ソフトウェア、あるいは、両者の複合構成を用いて実行することも可能である。
【００５７】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ内のメモリにインストールして実行させることが可能である。
【００５８】
例えば、プログラムは、記録媒体としてのハードディスクやROM（Read Only Memory）に予め記録しておくことが可能である。あるいは、プログラムは、リムーバブル記録媒体に一時的、あるいは、永続的に格納（記録）しておくことが可能である。このようなリムーバブル記録媒体は、いわゆるパッケージソフトウエアとして提供することが可能である。リムーバブル記録媒体は、磁気ディスク、半導体メモリなどの各種記録媒体があげられる。
【００５９】
なお、プログラムは、上述したようなリムーバブル記録媒体からコンピュータにインストールすることになる。また、ダウンロードサイトからコンピュータに無線転送することになる。また、ネットワークを介してコンピュータに有線で転送することになる。
【００６０】
また、上記実施形態の広告配信システムを構成する各装置は、上記実施形態で説明した処理動作に従って時系列的に処理を実行するだけに限定するものでない。例えば、処理を実行する装置の処理能力、あるいは、必要に応じて並列的にあるいは個別に処理を実行するように構築することも可能である。
【符号の説明】
【００６１】
１００    端末装置
２００    サーバ
１０    制御部
１１    情報取得部
１２    カテゴリ判別部
１３    興味解析部
１４    広告価値算出部
１５    表示制御部
２０    記憶部
２１    興味度情報記憶部
３０    表示入力部
【図１】
2015022561.tif 000003
【図２】
2015022561.tif 000004
【図３】
2015022561.tif 000005
【図４】
2015022561.tif 000006
【図５】
2015022561.tif 000007